(57)【要約】      （修正有）【課題】柱材の端部が斜めに切断されていても安定してより強力に柱材を支持できる突っ張り固定具を提供する。【解決手段】突っ張り固定具１００は、柱材と天井、又は柱材と床の間に設けられて、突っ張り力により柱材を支持するもので、柱材の一側端部に被嵌する有蓋筒状のカバー部１と、天井、又は床を押圧する押し付け部５と、カバー部１、又は押し付け部５の一方に対し螺合されるとともに、カバー部１、又は押し付け部５の他方に対し遊嵌され、カバー部１、又は押し付け部５の一方に対し螺回することで、押し付け部５をカバー部１に対し離接させる棒状又は筒状のねじ部材４と、カバー部１の内部をカバー部１の軸方向に摺動するばね押圧板２と、カバー部１の天壁１５とばね押圧盤２の間において、カバー部１の軸心を挟んで両側に設けられ、ばね押圧板２を天壁１５から離間する方向へ付勢する少なくとも２つのつるまきばね３とを備える。【選択図】図３
0003224119.tif 000002
【実用新案登録請求の範囲】
【請求項１】
柱材と天井、又は柱材と床の間に設けられて、突っ張り力により柱材を支持する突っ張り固定具であって、
柱材の一側端部に被嵌する有蓋筒状のカバー部と、
天井、又は床を押圧する押し付け部と、
前記カバー部、又は前記押し付け部の一方に対し螺合されるとともに、前記カバー部、又は前記押し付け部の他方に対し遊嵌され、前記カバー部、又は前記押し付け部の一方に対し螺回することで、前記押し付け部を前記カバー部に対し離接させる棒状又は筒状のねじ部材と、
前記カバー部の内部を前記カバー部の軸方向に摺動するばね押圧板と、
前記カバー部の天壁と前記押圧盤の間において、前記カバー部の軸心を挟んで両側に設けられ、前記押圧板を天壁から離間する方向へ付勢する少なくとも２つのつるまきばねと
を備えることを特徴とする突っ張り固定具。
【請求項２】
前記ねじ部材は、扁平六角柱状の回動操作部を備え、前記回動操作部の側面に棒状物を刺しこんで当該回動操作部を回動可能な回動操作用孔を有する請求項１に記載の突っ張り固定具。
【請求項３】
請求項１、又は請求項２に記載の突っ張り固定具と組み合わせて用いられ、前記突っ張り固定具を設ける側と逆側において、前記柱材の端部と、天井、又は床との間に設けられる滑り止め具であって、
有底筒状をなし、底壁内面から突出高さを一定にした格子状、又は網目状のリブが垂設されていることを特徴とする滑り止め具。
【請求項４】
請求項１、又は請求項２に記載の突っ張り固定具と、
請求項３に記載の滑り止め具と
を備える柱材の固定具セット。
【考案の詳細な説明】
【技術分野】
【０００１】
この考案は、家屋の床と天井間に釘やねじを用いず、突っ張り力で柱材を固定する突っ張り固定具に関し、特にばねと、ねじの両方による突っ張り力で柱材を支持する突っ張り固定具に関する。
【背景技術】
【０００２】
従来、家屋の床や天井に釘で傷を付けることなく柱材を固定するために、柱材と天井、あるいは、柱材と床の間に挟み込んで、突っ張り力で柱材を支持する突っ張り固定具が広く用いられている。
【０００３】
このうち、ばねにより突っ張り力を得る固定具は、柱と、天井や床との距離により、ばねの収縮量が異なるため、例えば、柱材を短かめに切ってしまった場合には、十分な突っ張り力が得られないという問題があった。
【０００４】
また、ねじにより突っ張り力を得る固定具は、ねじに際限なく力を加えることが可能なため、天井に穴を開けたり、固定具自体を損傷したりするという問題があった。
【０００５】
そこで、特許文献１では、柱材の上端に被せるカバー部と天井に押し付ける滑り止めを貼着した押し付け部の間につるまきばねとねじ部材とを設け、つるまきばねの収縮量をねじ部材により調整可能に構成した柱材支持具が提案されている。
【先行技術文献】
【特許文献】
【０００６】
【特許文献１】登録意匠第１５７１１３２号公報
【考案の概要】
【考案が解決しようとする課題】
【０００７】
しかし、特許文献１の柱材支持具は、柱材の上端が傾斜して切断されてしまった場合に、カバー部の上壁と柱材の上端に隙間が生じ、柱材の端部全体にばねの力が分散しないため柱材が不安定になるという問題がある。
【０００８】
本考案は、上記課題に鑑みてなされたものであり、柱材の上端が斜めに切断されてしまった場合でも、安定して柱材を支持可能な突っ張り固定具の提供を目的とする。
【課題を解決するための手段】
【０００９】
上記課題を解決するためになされた考案は、柱材と天井、又は柱材と床の間に設けられて、突っ張り力により柱材を支持する突っ張り固定具であって、柱材の一側端部に被嵌する有蓋筒状のカバー部と、
天井、又は床を押圧する押し付け部と、
前記カバー部、又は前記押し付け部の一方に対し螺合されるとともに、前記カバー部、又は前記押し付け部の他方に対し遊嵌され、前記カバー部、又は前記押し付け部の一方に対し螺回することで、前記押し付け部を前記カバー部に対し離接させる棒状又は筒状のねじ部材と、
前記カバー部の内部を前記カバー部の軸方向に摺動するばね押圧板と、
前記カバー部の天壁と前記押圧盤の間において、前記カバー部の軸心を挟んで両側に設けられ、前記押圧板を前記天壁から離間する方向へ付勢する少なくとも２つのつるまきばねとを備えることを特徴とする。
【００１０】
このように、カバー部の内部に摺動可能に設けたばね押圧板を、カバー部の軸心を挟んで両側に配した少なくとも２つのつるきばねにより付勢するようにしたので、柱材の端部が斜めに切断されている場合であっても、押圧材を柱材の端面に密着させることができるため、より安定して柱材を支持することができる。
【００１１】
本考案に係る突っ張り固定具は、前記ねじ部材が、扁平六角以上の、柱状の回動操作部を備え、前記回動操作部の側面に棒状物を刺しこんで当該回動操作部を回動可能な回動操作用孔を有することが好ましい。こうすることで、スパナやレンチだけでなく、六角レンチやドライバー等でもねじ部を回動することができる。
【００１２】
本発明は、上記いずれかの突っ張り固定具と組み合わせて用いられ、前記突っ張り金具を設ける側と逆側において、前記柱材の端部と、天井、又は床との間に設けられる滑り止め具であって、有底筒状をなし、底壁内面から突出高さを一定にした格子状、又は網目状のリブが垂設されていることを特徴とする滑り止め具を含む。このように、滑り止め具の底壁内面から突出高さを一定にした格子状、又は網目状のリブを垂設することで、柱材の端面に当該リブを食い込ませることができるので、多少柱材の端面が傾いていたり、凸凹している場合であっても、上下の取り付け具に滑り止め効果もある為、より安定して柱材を支持できる。
【００１３】
本考案は、上記いずれかの突っ張り固定具と、上記いずれかの滑り止め具とを備える柱材の固定具セットを含む。
【考案の効果】
【００１４】
以上説明したように、本考案の突っ張り固定具によれば、より安定して柱材を支持することができる。
【図面の簡単な説明】
【００１５】
【図１】本考案の第１実施形態に係る突っ張り固定具を示す斜視図である。
【図２】図１の突っ張り固定具の平面図である。
【図３】図２のＸ−Ｘ線断面図である。
【図４】図１に示した突っ張り固定具の側面図である。
【図５】本発明の第１実施形態に係る滑り止め具の底面側を示す斜視図である。
【図６】図５の滑り止め具の平面図である。
【図７】図６のＹ−Ｙ線断面図である。
【図８】図７のＺ−Ｚ線断面図である。
【図９】本発明の第１実施形態に係る柱材の固定具セットの使用状態を示す斜視図である。
【考案を実施するための形態】
【００１６】
以下、適宜図面を用いて、本考案に係る実施形態について詳述する。ただし、本考案は、以下の実施形態に限られるものではない。また、以下の説明において、図３、図７における左右方向を単に「幅方向」、図２、図６の上下方向を単に「奥行方向」、図３、図７の上下方向を単に、「上下方向」というものとする。
【００１７】
図９は、本考案の第１実施形態に係る柱材の固定具セット３００を用いて、一般家庭の室内に飾り棚Ｄを支持するための柱材Ｂを設置した様子を示している。柱材の固定具セット３００は、突っ張り固定具１００、及び滑り止め具２００を備えている。
【００１８】
（突っ張り固定具）
突っ張り固定具１００は、図９に示すように、柱材Ｂと天井Ｅの間に設けられて、突っ張り力により柱材Ｂを支持するものであり、図１乃至図４に示すように、カバー部１と、ばね押圧板２と、少なくとも２つのつるまきばね３，３と、ねじ部材４と、押し付け部５と滑り止めシート６とを備えている。カバー部１、ばね押圧板２、ねじ部材４、押し付け部５は、硬質樹脂を射出成型して形成され、つるまきばね３は、ばね鋼からなる。滑り止めシート６は、ゴムやエラストマー等の軟質樹脂により形成される。
【００１９】
カバー部１は、直方体の有蓋筒状をなしており、下方に開口する開口部１１と、開口部１１を入り口とする直方体状の柱材挿入室１２と、柱材挿入室１２の上方を塞ぐ天壁１５と、柱材挿入室１２の幅方向の両側において天壁１５の内側から上方へ凹設される一対の円柱状のばね挿入孔１３，１３と、天壁１５の平面視における中央において、天壁１５を貫通する雌ねじ孔１４とを備えている。柱材挿入室１２の幅方向に平行な壁面には、幅方向に並ぶ一対のリブ１２ａ，１２ａが垂設されている。リブ１２ａは、開口部１１側ほど低くなるよう設けられている。天壁１５の上面には、平面視におけるばね挿入孔１３，１３と同じ位置に、円形貫通孔１５ａ，１５ａが設けられている。カバー部１は、ツーバイフォーの柱材Ｂの上端部に僅かな隙間を介して被嵌するような寸法に設けられている。
【００２０】
ばね押圧板２は、外形がカバー部１の柱材挿入室１２の内面よりもやや小さい長方形をなし、幅方向の両端に一対の扁平円柱状の突起からなるばね掛止用突起２ａ，２ａを備えている。
【００２１】
少なくとも２つのつるまきばね３，３は、下端をばね掛止用突起２ａ，２ａに掛止し、上端側の半分以上をばね挿入孔１３，１３に収容するようにして、カバー部１の天壁１５とばね押圧板２の間において、カバー部１の軸心を挟んで対称に、かつばね押圧板２を天壁１５から離間する方向へ付勢するよう設けられている。かかる構成により、ばね押圧板２は、柱材挿入室１２内を、カバー部１の軸方向に摺動するよう設けられている。ただし、つるまきばね３は、一対（２つ）に限らず、３つ以上設けてもよい。
【００２２】
ねじ部材４は、略円筒状をなし、カバー部１の下端部に設けられる雄ねじ部４１と、雄ねじ部４１の上方に隣接して設けられる扁平六角柱状の回動操作部４２と、回動操作部４２の上方に隣接する凹条からなる掛止溝４３と、掛止溝４３の上方に隣接する掛止凸条４４とを備えている。雄ねじ部４１は、外周に雄ねじが刻設されて、カバー部１の雌ねじ孔１４に螺合される。掛止凸条４４は、上側ほど小径になるよう傾斜している。
【００２３】
押し付け部５は、図２に示すように、平面視における外形がトラック状をなす板状部材からなり、中央に板厚方向に貫通する遊嵌孔５１を備えている。遊嵌孔５１の下端側開口周縁には、ねじ部材４の掛止溝４３に遊嵌する周方向の全周に渡る遊嵌凸条５２が設けられ、上端側開口には、ねじ部材４の掛止用凸条５４を遊嵌する遊嵌凹部５３が設けられている。押し付け部５は、ねじ部材４をカバー部１に対し螺回することで、カバー部１に対し離接し、天井、又は床を押圧するよう構成され、また。滑り止め６により滑りを無くするよう構成されている。
【００２４】
滑り止めシート６は、平面視において、押し付け部５と、略合同な形に形成され、押しつけ部５の上面に接着剤にて貼着されている。
【００２５】
このように、つるまきばね６を２つ以上設け、ねじ部材４で締めることで、よりバランスよく、かつより強力に、突っ張り力を柱材Ｂへ加えることができるため、より安定して柱材Ｂを固定することができる。
【００２６】
（滑り止め具）
滑り止め具２００は、図９に示すように、柱材Ｂと床Ｆの間に設けられて、柱材Ｂが床Ｆに対し横滑りすることを防止するものであり、図５乃至図８に示すように、滑り止め具本体２０１と、滑り止めシート２０２とを備えている。滑り止め具本体２０１は、硬質樹脂を射出成型して形成され、滑り止めシート２０２は、ゴムやエラストマー等の軟質樹脂により形成される。
【００２７】
滑り止め具本体２０１は、上方（図７の上方）に開口した直方体の箱状をなし、内部に柱材Ｂの下端を挿入する柱材下端挿入室２０３と、底壁２０４の内面に垂設され平面視において縦横に交差する格子状のリブ２０５，２０５，…と、格子状のリブ２０５，２０５，…の間に設けられる間室２０６，２０６，…と、柱材下端挿入室２０３の側壁に上下方向に延びるとともに上側ほど低くなるよう設けられる４本のリブ２０７，２０７，…とを備えている。
【００２８】
滑り止めシート２０２は、滑り止め具本体２０１の底壁２０４と合同な長方形をなし、接着剤により底壁２０４に貼着されている。
【００２９】
固定具セット３００を用いて、柱材Ｂを固定するときは、まず、柱材Ｂの下端を滑り止め具２００の柱材下端挿入室２０３へ挿入するようにして、柱材Ｂの下端に滑り止め具２００を取り付ける。続けて、柱材Ｂの上端を突っ張り固定具１００の柱材挿入室１２へ挿入するようにして、突っ張り固定具１００を柱材Ｂの上端に取り付ける。突っ張り固定具１００は、ねじ部材４を回動操作して押し付け部５を十分にカバー部１へ近づけておく。
【００３０】
この状態で、天井Ｅと床Ｆの間に柱材Ｂを立設し、レンチやスパナを突っ張り固定具１００の回動操作部の六角面に掛止して、あるいは、六角レンチやドライバーを回動操作孔４２ａに刺しこんで、ねじ部材４を回動操作し、押し付け部５を天井Ｅへ押し付ける。
【００３１】
この際、ばね押圧板２は、幅方向に並列される少なくとも２つのつるまきばね３，３により上下に摺動可能に支持されているため、柱材Ｂの上端面が傾斜していても、この傾斜に合わせてばね押圧板が傾くため、柱材Ｂの上端全面に万遍なくつるまきばね３，３の突っ張り力が作用する。
【００３２】
また、滑り止め具２００の底壁２０４からは、格子状のリブ２０５，２０５が設けられているため、柱材Ｂの下端面に傾斜や凹凸が存在しても、リブ２０５，２０５，…の間の間室２０６，２０６へ柱材Ｂの下端の傾斜や凸部を収容したり、リブ２０５，２０５，…を柱材Ｂの下端面に食い込ませたりできる。
以上のことから、柱材の固定具セット３００は、より安定して柱材Ｂを支持することができる。
【００３３】
本考案は、上述した実施形態に限らず、滑り止め具は、備えなくともよい。カバー部は、直方体状に限らず、円筒状、多角筒状当、柱材の形状に合わせて、適宜の形状を選択できる。ねじ部材は、押し付け部に螺合させ、カバー部に対し遊嵌するようにしてもよい。
【符号の説明】
【００３４】
１００  突っ張り固定具
１  カバー部
１５  天壁
２  ばね押圧板
３  つるまきばね
４  ねじ部材
４２  回動操作部
４２ａ  回動操作用孔
５  押し付け部
２００  滑り止め具
２０５  リブ
柱材  Ｂ
Ｅ  天井
Ｆ  床
【図１】
0003224119.tif 000003
【図２】
0003224119.tif 000004
【図３】
0003224119.tif 000005
【図４】
0003224119.tif 000006
【図５】
0003224119.tif 000007
【図６】
0003224119.tif 000008
【図７】
0003224119.tif 000009
【図８】
0003224119.tif 000010
【図９】
0003224119.tif 000011
【手続補正書】
【提出日】令和1年9月24日(2019.9.24)
【手続補正１】
【補正対象書類名】実用新案登録請求の範囲
【補正対象項目名】全文
【補正方法】変更
【補正の内容】
【実用新案登録請求の範囲】
【請求項１】
柱材と天井、又は柱材と床の間に設けられて、突っ張り力により柱材を支持する突っ張り固定具であって、
柱材の一側端部に被嵌する有蓋筒状のカバー部と、
天井、又は床を押圧する押し付け部と、
前記カバー部、又は前記押し付け部の一方に対し螺合されるとともに、前記カバー部、又は前記押し付け部の他方に対し遊嵌され、前記カバー部、又は前記押し付け部の一方に対し螺回することで、前記押し付け部を前記カバー部に対し離接させる棒状又は筒状のねじ部材と、
前記カバー部の内部を前記カバー部の軸方向に摺動するばね押圧板と、
前記カバー部の天壁と前記ばね押圧板の間において、前記カバー部の軸心を挟んで両側に設けられ、前記ばね押圧板を天壁から離間する方向へ付勢する少なくとも２つのつるまきばねとを備えることを特徴とする突っ張り固定具。
【請求項２】
前記ねじ部材は、扁平六角柱状の回動操作部を備え、前記回動操作部の側面に棒状物を刺しこんで当該回動操作部を回動可能な回動操作用孔を有する請求項１に記載の突っ張り固定具。
【請求項３】
請求項１、又は請求項２に記載の突っ張り固定具と組み合わせて用いられ、前記突っ張り固定具を設ける側と逆側において、前記柱材の端部と、天井、又は床との間に設けられる滑り止め具であって、
有底筒状をなし、底壁内面から突出高さを一定にした格子状、又は網目状のリブが垂設されていることを特徴とする滑り止め具。
【請求項４】
請求項１、又は請求項２に記載の突っ張り固定具と、
請求項３に記載の滑り止め具と
を備える柱材の固定具セット。
【手続補正２】
【補正対象書類名】明細書
【補正対象項目名】０００９
【補正方法】変更
【補正の内容】
【０００９】
上記課題を解決するためになされた考案は、柱材と天井、又は柱材と床の間に設けられて、突っ張り力により柱材を支持する突っ張り固定具であって、柱材の一側端部に被嵌する有蓋筒状のカバー部と、天井、又は床を押圧する押し付け部と、前記カバー部、又は前記押し付け部の一方に対し螺合されるとともに、前記カバー部、又は前記押し付け部の他方に対し遊嵌され、前記カバー部、又は前記押し付け部の一方に対し螺回することで、前記押し付け部を前記カバー部に対し離接させる棒状又は筒状のねじ部材と、前記カバー部の内部を前記カバー部の軸方向に摺動するばね押圧板と、前記カバー部の天壁と前記ばね押圧板の間において、前記カバー部の軸心を挟んで両側に設けられ、前記ばね押圧板を前記天壁から離間する方向へ付勢する少なくとも２つのつるまきばねとを備えることを特徴とする。